(57)【要約】【課題】皮剥き処理部の前後方向に沿う方向に並ぶ複数の回転移送体を備え、隣り合う回転移送体の一方の回転移送体における隣り合う二つの羽根体の間を他方の回転移送体における羽根体が通る皮剥き装置において、回転移送体の隣り合う二つの羽根体の間に移送中のトウモロコシ房状体が導入されることによる種子粒の脱粒を回避できるようにする。【解決手段】侵入防止部材４５が備えられている。侵入防止部材４５は、隣り合う回転移送体３７のうちの後側の回転移送体３７における回転支軸４０と、後側の回転移送体３７の隣り合う二つの羽根体４２の間に入り込む前側の回転移送体３７の羽根体４２との間に移送中のトウモロコシ房状体が導入されるのを防止する。【選択図】図３
2016174539.tif 000002
【特許請求の範囲】
【請求項１】
収穫されたトウモロコシ房状体を拡散させながら下降案内する案内面と、案内されたトウモロコシ房状体を受け入れて、トウモロコシ房状体の包葉を剥き取る複数列の皮剥き処理部と、が備えられ、
前記皮剥き処理部に、前記皮剥き処理部の横幅方向に並べて配置され、前記皮剥き処理部の前後方向に延びる前後向き軸芯を回転中心として回転駆動される一対の皮剥きローラが備えられ、
複数列の前記皮剥き処理部の上方に前記前後方向に沿う方向に並べて配置され、前記横幅方向に延びる横向き軸芯を回転中心として回転駆動されてトウモロコシ房状体を後方側に向けて移送する複数の回転移送体が備えられ、
前記回転移送体に、前記横向き軸芯を回転中心として回転する回転支軸と、前記横幅方向に間隔を空けた状態で前記回転支軸に相対回転不能に支持される複数の羽根体と、が備えられ、
隣り合う前記回転移送体は、一方の前記回転移送体における隣り合う二つの前記羽根体の間を他方の前記回転移送体における前記羽根体が通るように、前記横向き軸芯方向に沿った方向視で重複するように配置され、
前記回転移送体における前記回転支軸とその回転移送体の前隣に位置する回転移送体の複数の前記羽根体のうち前記二つの羽根体の間に入り込む前記羽根体との間に移送中のトウモロコシ房状体が導入されるのを防止する侵入防止部材が備えられている皮剥き装置。
【請求項２】
前記侵入防止部材は、前記横向き軸芯を回転中心として回転駆動されるように構成されている請求項１に記載の皮剥き装置。
【請求項３】
前記侵入防止部材に、トウモロコシ房状体に掻き送り作用する掻き送り面が備えられている請求項２に記載の皮剥き装置。
【請求項４】
前記侵入防止部材は、前記羽根体に一体形成されている請求項２または３に記載の皮剥き装置。
【請求項５】
前記回転移送体に、一対の皮剥きローラ同士の間の上方を通過する前記羽根体が備えられ、
前記上方を通過する前記羽根体の横幅は、その回転移送体における他の前記羽根体の横幅よりも広く設定されている請求項１から４の何れか一項に記載の皮剥き装置。
【請求項６】
前記回転移送体に、前記一対の皮剥きローラ同士の間の上方から前記幅方向に位置ずれした前記羽根体が備えられ、
前記位置ずれした羽根体は、回転駆動によってトウモロコシ房状体を前記一対の皮剥きローラ同士の間に幅寄せするように構成されている請求項１から５の何れか一項に記載の皮剥き装置。
【発明の詳細な説明】
【技術分野】
【０００１】
本発明は、皮剥き装置、詳しくは、収穫されたトウモロコシ房状体を拡散させながら下降案内する案内面と、案内されたトウモロコシ房状体を受け入れて、トウモロコシ房状体の包葉を剥き取る複数列の皮剥き処理部と、が備えられ、前記皮剥き処理部に、前記皮剥き処理部の横幅方向に並べて配置され、前記皮剥き処理部の前後方向に延びる前後向き軸芯を回転中心として回転駆動される一対の皮剥きローラが備えられ、複数列の前記皮剥き処理部の上方に前記前後方向に沿う方向に並べて配置され、前記横幅方向に延びる横向き軸芯を回転中心として回転駆動されてトウモロコシ房状体を後方側に向けて移送する複数の回転移送体が備えられ、前記回転移送体に、前記横向き軸芯を回転中心として回転する回転支軸と、前記横幅方向に間隔を空けた状態で前記回転支軸に相対回転不能に支持される複数の羽根体と、が備えられ、隣り合う前記回転移送体は、一方の前記回転移送体における隣り合う二つの前記羽根体の間を他方の前記回転移送体における前記羽根体が通るように、前記横向き軸芯方向に沿った方向視で重複するように配置された皮剥き装置に関する。
【背景技術】
【０００２】
上記皮剥き装置は、隣り合う回転移送体の一方の回転移送体において隣り合う二つの羽根体の間を他方の回転移送体における羽根体が通ることで、皮剥き処理部の前後方向に沿う方向に並ぶ複数の回転移送体による移送力をトウモロコシ房状体に途切れずに付与できるものである。
【発明の概要】
【発明が解決しようとする課題】
【０００３】
従来、隣り合う回転移送体の間において、前側の回転移送体の羽根体が上昇移動するとき、移送中のトウモロコシ房状体に対して掻き上げ作用するので、トウモロコシ房状体の長手方向での一端側が後側の回転移送体において隣り合う二つの羽根体の間の空間に入り込むことがあった。この場合、トウモロコシ房状体が皮剥き処理部における一対の皮剥きローラ同士の間の上で立った姿勢（トウモロコシ房状体の長手方向が上下向きになる姿勢）になって、他端側（下端側）の端部が一対の皮剥きローラによって挟まれ、その端部における種子粒が脱粒し易くなる。
【０００４】
本発明の目的は、トウモロコシ房状体が一対の皮剥きローラ同士の間の上で立つことによる種子粒の脱粒を防止できる皮剥き装置を提供することある。
【課題を解決するための手段】
【０００５】
本発明による皮剥き装置は、
収穫されたトウモロコシ房状体を拡散させながら下降案内する案内面と、案内されたトウモロコシ房状体を受け入れて、トウモロコシ房状体の包葉を剥き取る複数列の皮剥き処理部と、が備えられ、
前記皮剥き処理部に、前記皮剥き処理部の横幅方向に並べて配置され、前記皮剥き処理部の前後方向に延びる前後向き軸芯を回転中心として回転駆動される一対の皮剥きローラが備えられ、
複数列の前記皮剥き処理部の上方に前記前後方向に沿う方向に並べて配置され、前記横幅方向に延びる横向き軸芯を回転中心として回転駆動されてトウモロコシ房状体を後方側に向けて移送する複数の回転移送体が備えられ、
前記回転移送体に、前記横向き軸芯を回転中心として回転する回転支軸と、前記横幅方向に間隔を空けた状態で前記回転支軸に相対回転不能に支持される複数の羽根体と、が備えられ、
隣り合う前記回転移送体は、一方の前記回転移送体における隣り合う二つの前記羽根体の間を他方の前記回転移送体における前記羽根体が通るように、前記横向き軸芯方向に沿った方向視で重複するように配置され、
前記回転移送体における前記回転支軸とその回転移送体の前隣に位置する回転移送体の複数の前記羽根体のうち前記二つの羽根体の間に入り込む前記羽根体との間に移送中のトウモロコシ房状体が導入されるのを防止する侵入防止部材が備えられている。
【０００６】
本構成によると、トウモロコシ房状体が羽根体による掻き上げ操作によって羽根体と回転支軸との間に導入されようとしても、その導入が侵入防止部材によって防止されるので、トウモロコシ房状体の一端側が隣り合う二つの羽根体同士の間の空間に入り込むことを防止できる。この結果、トウモロコシ房状体が皮剥きローラ同士の間の上で立つことを防止できる。
【０００７】
従って、複数の回転移送体による移送力をトウモロコシ房状体に途切れずに付与できるものでありながら、トウモロコシ房状体が皮剥きローラ同士の間の上で立つことに起因する種子粒の脱粒を防止できる。
【０００８】
本発明においては、前記侵入防止部材は、前記横向き軸芯を回転中心として回転駆動されるように構成されていると好適である。
【０００９】
本構成によれば、羽根体と回転支軸との間に導入されようとするトウモロコシ房状体に侵入防止部材の回転力によって導入抵抗が付与されるので、トウモロコシ房状体の羽根体と回転支軸との間への導入を効果的に防止できる。この結果、トウモロコシ房状体が皮剥きローラ同士の間の上で立つことを効果的に防止できる。
【００１０】
本発明においては、前記侵入防止部材に、トウモロコシ房状体に掻き送り作用する掻き送り面が備えられていると好適である。
【００１１】
本構成によれば、羽根体と回転支軸との間に導入されようとするトウモロコシ房状体が掻き送り面によって導入方向と反対方向に向けて掻き送り操作されるので、トウモロコシ房状体の羽根体と回転支軸との間への導入を効果的に防止できる。この結果、トウモロコシ房状体が皮剥きローラ同士の間の上で立つことを効果的に防止できる。
【００１２】
本発明においては、前記侵入防止部材は、前記羽根体に一体形成されていると好適である。
【００１３】
本構成によれば、侵入防止部材と羽根体とを一挙に形成できるので、回転駆動可能な侵入防止部材を製作容易に得られる。
【００１４】
本発明においては、前記回転移送体に、一対の皮剥きローラ同士の間の上方を通過する前記羽根体が備えられ、前記上方を通過する前記羽根体の横幅は、その回転移送体における他の前記羽根体の横幅よりも広く設定されていると好適である。
【００１５】
本構成によれば、皮剥きローラ同士の間の上に位置するトウモロコシ房状体に羽根体を作用させるのに、羽根体の横幅が広いことで、羽根体がトウモロコシ房状体に対して偏心しないとか、あまり偏心しないようにできる。この結果、トウモロコシ房状体を皮むきローラにしっかり押圧して皮剥きローラを適切に作用させられるなど、皮剥き処理をスムーズに行わせられる。
【００１６】
本発明においては、前記回転移送体に、前記一対の皮剥きローラ同士の間の上方から前記幅方向に位置ずれした前記羽根体が備えられ、
前記位置ずれした羽根体は、回転駆動によってトウモロコシ房状体を前記一対の皮剥きローラ同士の間に幅寄せするように構成されていると好適である。
【００１７】
本構成によれば、トウモロコシ房状体が皮剥きローラ同士の間の上方から位置ずれしようとすると、羽根体の幅寄せによって位置ずれを防止したり、修正したりできるので、トウモロコシ房状体を皮剥きローラ同士の間に適切に位置させられる。
【図面の簡単な説明】
【００１８】
【図１】トウモロコシ収穫機の全体を示す側面図である。
【図２】トウモロコシ収穫機の全体を示す平面図である。
【図３】皮剥き装置を示す縦断側面図である。
【図４】皮剥き装置を示す平面図である。
【図５】回転移送体の一部及び侵入防止部材を示す平面図である。
【図６】回転移送体の一部及び侵入防止部材を示す後面図である。
【図７】侵入防止部材を示す側面図である。
【図８】展開状態の羽根部を示す平面図である。
【図９】侵入防止部材を示す斜視図である。
【図１０】別の実施構造を備えた侵入防止部材を示す側面図である。
【図１１】別の実施構造を備えた侵入防止部材を示す平面図である。
【発明を実施するための形態】
【００１９】
以下、本発明の実施の形態を図面に基づいて説明する。
本発明の実施例に係る皮剥き装置１をトウモロコシ収穫機に適用した場合について説明する。図１は、トウモロコシ収穫機の全体を示す側面図である。図２は、トウモロコシ収穫機の全体を示す平面図である。図１，２に示すように、Ｆが走行機体の「前」、Ｂが走行機体の「後」、Ｌが走行機体の「左」、Ｒが走行機体の「右」と定義する。
【００２０】
図１，２に示すように、トウモコシ収穫機は、機体フレーム２の前部に左右一対の前車輪３が装備され、機体フレーム２の後部に左右一対の後車輪４が装備された自走可能な走行機体を備えている。走行機体の前車輪３と後車輪４との間の部位に、エンジン５が設けられている。左右の前車輪３は、ミッションケース６に駆動可能に支持され、エンジン５からミッションケース６に伝達される駆動力によって駆動される。左右の後車輪４は、ステアリングシリンダ（図示せず）による操向操作が可能に支持されている。走行機体の前部に運転部７が設けられている。運転部７には、キャビン８が設けられている。乗用空間がキャビン８によって覆われている。
【００２１】
走行機体の前部に収穫装置９が揺動昇降可能に連結されている。収穫装置９には、３列の収穫部９ａが配備されている。収穫装置９の後部と、機体フレーム２とに昇降シリンダ１０が連結されている。収穫装置９は、昇降シリンダ１０によって下降作業状態と上昇非作業状態とにわたって昇降操作される。
【００２２】
走行機体の後部に後処理部１１が設けられている。収穫装置９の後方から後処理部１１の前方上方にわたって搬送装置１２が設けられている。搬送装置１２は、運転部７の下方を通る状態で、且つ、後側ほど上方に位置する傾斜状態で設けられている。後処理部１１には、皮剥き装置１、揺動選別装置１３及び回収容器１４が設けられている。揺動選別装置１３は、皮剥き装置１の下方に設けられている。回収容器１４は、揺動選別装置１３の下方に設けられている。後処理部１１の後方に貯留タンク１５が設けられている。後処理部１１の下部の横側方、及び、エンジン５の横側方の夫々には、横カバー１６が設けられている。
【００２３】
前車輪３と後車輪４との間に残稈処理装置１７が設けられている。残稈処理装置１７は、機体フレーム２に揺動昇降可能に支持されている。残稈処理装置１７の上部に昇降シリンダ１８が連結されている。残稈処理装置１７は、昇降シリンダ１８によって下降作業状態と上昇非作業状態とにわたって昇降操作される。
【００２４】
収穫装置９を下降作業状態にした状態で走行機体を走行させることで、３条の植付条に植立するトウモロコシ植物体からトウモロコシ房状体が収穫装置９によって収穫される。トウモコシ植物体のうち、トウモロコシ房状体が収穫されて圃場に植立状態で残った残稈は、走行機体が走行していくことで、下降作業状態の残稈処理装置１７に取り入れられて細断処理される。
【００２５】
収穫装置９によって収穫されるトウモロコシ房状体は、トウモロコシ植物体のうち、種子粒が棒状に連なって房状になり、且つ、房状の種子粒が包葉によって包まれた状態になっている部位である。収穫されたトウモロコシ房状体が搬送装置１２によって搬送され、搬送装置１２の後端部から後方に排出される。排出されたトウモロコシ房状体は、皮剥き装置１に受け入れられ、包葉を剥き取る皮剥き処理をされる。皮剥き処理を受けた後のトウモロコシ房状体は、皮剥き装置１から後方に排出され、貯留タンク１５に入って貯留される。
【００２６】
皮剥き装置１において剥き取られた包葉、及び、皮剥きに伴ってトウモロコシ房状体から脱粒した種子粒が、皮剥き装置１から下方に落下し、揺動選別装置１３に受け入れられて選別処理される。選別された種子粒は、揺動選別装置１３から回収容器１４に落下して回収される。選別された包葉は、揺動選別装置１３から前方に排出され、シュート１９に沿って下降する。シュート１９を下降した包葉は、残稈処理装置１７の前方に落下し、残稈処理装置１７に取り入れられて残稈とともに細断処理される。
【００２７】
貯留タンク１５の上端側の部位が支軸２０を介して前後の支柱２１に支持されている。前後の支柱２１は、機体フレーム２に立てられている。前後の支柱２１の夫々と貯留タンク１５とに昇降シリンダ２２が連結されている。貯留タンク１５は、昇降シリンダ２２によって、支軸２０を支点軸として下降貯留姿勢と上昇排出姿勢とにわたって揺動操作される。貯留タンク１５を上昇排出姿勢に操作することで、貯留タンク１５に貯留されたトウモロコシ房状体を走行機体の横外側へ排出できる。
【００２８】
皮剥き装置１について説明する。図３は、皮剥き装置１を示す縦断側面図である。図４は、皮剥き装置１を示す平面図である。皮剥き装置１の説明にあたり、トウモロコシ房状体の移動方向上手側（図４のＦ側）が「前」とし、トウモロコシ房状体の移動方向下手側（図４のＢ側）が「後」とし、トウモロコシ房状体の移動方向下手側から上手側を見て左側（図４のＬ側）が「左」とし、トウモロコシ房状体の移動方向下手側から上手側を見て右側（図４のＲ側）が「右」とする。
【００２９】
後述する皮剥きケース３０の前部から前シュート３３が前方向きに、搬送装置１２の後端部の下方まで延出されている。前シュート３３は、前端側ほど高い箇所に位置する傾斜姿勢で延出されている。前シュート３３の左端側及び右端側から横壁板３４が上方向きに延出されている。左右の横壁板３４は、皮剥きケース３０の左右の横壁板３１に連なっている。前シュート３３によって案内面３５が形成されている。案内面３５は、搬送装置１２の排出口１２ａの下方と、皮剥き装置１の受入口１Ａとに亘っている。案内面３５の面上に振分け案内体５０及び７個の案内体５１が設けられている。振分け案内体５０は、７個の案内体５１よりも前上側（トウモロコシ房状体の移動方向上手側）に設けられている。７個の案内体５１は、案内面３５の左右方向に間隔を空けて並んでいる。
【００３０】
皮剥き装置１には、図３，４に示すように、皮剥きケース３０が備えられている。皮剥きケース３０は、後処理部フレーム２５のうちの上フレーム部２５ａに支持されている。後処理部フレーム２５は、図１に示すように、機体フレーム２に立てられている。皮剥きケース３０には、左右一対の横壁板３１及び受取り台３２が備えられている。受取り台３２は、皮剥きケース３０の後端部に設けられている。受取り台３２の左端側及び右端側が横壁板３１に支持されている。
【００３１】
皮剥きケース３０の内部に、８列の皮剥き処理部３６、５個の回転移送体３７及び１個の掻出しローラ３８が設けられている。８列の皮剥き処理部３６は、案内面３５の後端部の下方と受取り台３２の下方との間において、皮剥き装置１の横幅方向に並んでいる。８列の皮剥き処理部３６の夫々には、左右一対の皮剥きローラ３９が備えられている。各皮剥き処理部３６の左右の皮剥きローラ３９は、皮剥き処理部３６の横幅方向に並んでいる。各皮剥き処理部３６の左右の皮剥きローラ３９は、皮剥き処理部３６の前後方向に沿う方向（機体前後方向に沿う方向）に延びる軸芯を備え、この軸芯を回転中心として回転駆動される。各皮剥き処理部３６における左の皮剥きローラ３９の回転方向は、後方から視て、右回り（時計回り）の回転方向３９ａ（図６参照）となり、右の皮剥きローラ３９の回転方向は、後方から視て、左回り（反時計回り）の回転方向３９ｂ（図６参照）となる。
【００３２】
５個の回転移送体３７は、８列の皮剥き処理部３６の上方において、皮剥き処理部３６の前後方向に沿う方向に並んでいる。５個の回転移送体３７の夫々は、皮剥き処理部３６の横幅方向に延びる横向き軸芯Ｐを備え、この横向き軸芯Ｐを回転中心として回転駆動される。掻出しローラ３８は、受取り台３２の上方に設けられている。掻出しローラ３８は、皮剥き装置１の横幅方向に延びる軸芯を備え、この軸芯を回転中心として回転駆動される。
【００３３】
搬送装置１２の排出口１２ａから排出されたトウモコシ房状体が案内面３５の前端側に落下して案内面３５に沿って下降し、案内面３５によって皮剥き装置１の受入口１Ａへ案内される。案内面３５は、トウモコシ房状体を振分け案内体５０及び案内体５１による案内によって皮剥き装置１の横幅方向に拡散させながら受入口１Ａへ案内する。受入口１Ａに導入されたトウモロコシ房状体が皮剥きローラ３９及び回転移送体３７によって皮剥き処理部３６の後方に移送されながら、トウモロコシ房状体の包葉が皮剥きローラ３９によって剥き取られる。詳述すると、トウモロコシ房状体を皮剥きローラ３９に対する縦向き姿勢（トウモロコシ房状体の長手方向が皮剥きローラ３９の軸芯方向に沿う方向となる姿勢）で一対の皮剥きローラ３９同士の間の上方に位置させる。一対の皮剥きローラ３９がトウモロコシ房状体を挟む状態で回動し、トウモロコシ房状体の包葉が一対の皮剥きローラ３９によって剥き取られる。トウモロコシ房状体から剥き取られた包葉は、一対の皮剥きローラ３９の間から下方へ落下する。皮剥きローラ３９の後端部に来たトウモロコシ房状体が掻出しローラ３８によって受取り台３２の上へ掻き出される。受取り台３２の上に掻き出されたトウモロコシ房状体は、掻出しローラ３８によって受取り台３２から皮剥き装置１の後方へ送り出される。
【００３４】
回転移送体３７について説明する。
５個の回転移送体３７の夫々は、図３，４に示すように、回転支軸４０と複数の羽根部４１とを備えている。回転支軸４０は、皮剥き処理部３６の横幅方向に延びる横向き軸芯Ｐを備え、この横向き軸芯Ｐを回転中心として回転駆動されるように左右の横壁板３１に回転駆動可能に支持されている。複数の羽根部４１は、皮剥き処理部３６の横幅方向に間隔を空けた並んだ状態で回転支軸４０に相対回転可能に支持されている。複数の羽根部４１の夫々は、回転支軸４０の周方向に間隔を空けて並ぶ複数の羽根体４２を備えている。複数の羽根体４２の夫々は、複数の羽根体４２に共通の１のボス部４３を介して回転支軸４０に相対回転不能に支持されている。複数の羽根体４２は、ボス部４３から放射状に延出している。本実施例では、１２枚の羽根体４２を備えているが、枚数は、１２枚に限らず、如何なる枚数に設定してもよい。
【００３５】
５個の回転移送体３７の夫々は、回転支軸４０が回転駆動されることで、横向き軸芯Ｐを回転中心として回転方向Ａ（図３参照）に回転駆動され、複数の羽根部４１の夫々の羽根体４２を回転方向Ａに回転させる。皮剥き処理部３６に位置するトウモロコシ房状体が、回転する羽根体４２による掻き送りによって皮剥き処理部２６の後方側へ向けて移送される。
【００３６】
５個の回転移送体３７における隣り合う回転移送体３７は、一方の回転移送体３７における隣り合う羽根体４２同士の間を他方の回転移送体３７における羽根体４２が通るように、横向き軸芯Ｐ方向に沿った方向視で重複するように配置されている。５個の回転移送体３７による移送力がトウモロコシ房状体に途切れずに付与される。
【００３７】
５個の回転移送体３７における隣り合う回転移送体３７のうちの一方の回転移送体３７は、図４，６に示すように、隣り合う羽根部４１の一方の羽根部４１における羽根体４２が１つの皮剥き処理部３６における一対の皮剥きローラ３９同士の間の上方を通過し、他方の羽根部４１における羽根体４２が皮剥き処理部３６における一対の皮剥きローラ３９同士の間の上方から皮剥き処理部３６の横幅方向に位置ずれした箇所を通過するように構成されている。一対の皮剥きローラ３９同士の間の上方から位置ずれした箇所を通過する羽根体４２は、皮剥き処理部３６同士の間の上方を通過する。
【００３８】
図４，６に示すように、一対の皮剥きローラ３９同士の間の上方を通過する羽根体４２の横幅Ｗ１は、一対の皮剥きローラ３９同士の間の上方から位置ずれした箇所を通過する羽根体４２の横幅Ｗ２よりも広く設定されている。図６に示すＴは、一対の皮剥きローラ３９同士の間の上に位置するトウモロコシ房状体であって、長手方向が皮剥きローラ３９の軸芯の方向に沿った方向となっているトウモロコシ房状体を示している。皮剥きローラ３９同士の間の上に位置するトウモロコシ房状体Ｔに対して羽根体４２を作用させるのに、羽根体４２の横幅Ｗ１が広いことで、トウモロコシ房状体Ｔに対して偏心しないとか、あまり偏心しないで作用させられる。
【００３９】
皮剥きローラ３９同士の間の上方から位置ずれした箇所を通過する羽根体４２は、回転駆動によってトウモロコシ房状体を一対の皮剥きローラ３９同士の間に幅寄せするよう構成されている。トウモロコシ房状体が皮剥き処理部３６における皮剥きローラ３９同士の間の上方から横側に位置ずれすると、このトウモロコシ房状体を皮剥きローラ３９同士の間の上方から位置ずれしている羽根体４２によって皮剥きローラ３９同士の間の上方に戻し操作できる。
【００４０】
具体的には、皮剥きローラ３９同士の間の上方から位置ずれした箇所を通過する羽根部４１は、図５，６，８に示す如く構成されている。図８は、展開状態の羽根部４１を示す平面図である。位置ずれした箇所を通る羽根部４１における一対の半周部のうちの一方の半周部に位置する複数の羽根体４２は、左寄せ用に構成され、他方の半周部に位置する複数の羽根体４２は、右寄せ用に構成されている。左寄せの複数の羽根体４２は、回転方向Ａにおいて隣り合う羽根体４２のうちの回転方向上手側に位置する羽根体４２が回転方向下手側に位置する羽根体４２に対して羽根部４１の左端側に位置ずれした状態の配列で羽根部４１の回転方向Ａに並んでいる。左寄せ用の複数の羽根体４２によって左幅寄せ面４２Ｌが形成される。右寄せ用の複数の羽根体４２は、回転方向Ａにおいて隣り合う羽根体４２のうちの回転方向上手側に位置する羽根体４２が回転方向下手側に位置する羽根体４２に対して羽根部４１の右端側に位置ずれした状態の配列で羽根部４１の回転方向に並んでいる。右寄せ用の複数の羽根体４２によって右幅寄せ面４２Ｒが形成される。
【００４１】
位置ずれした箇所を通る羽根部４１の左横側に位置する皮剥きローラ３９同士の間の上方からトウモロコシ房状体が右側に位置ずれすると、このトウモロコシ房状体が左寄せ用の羽根体４２の配列と回転駆動とによって左側の皮剥きローラ３９同士の間の上方に向けて押し寄せ操作される。位置ずれした箇所を通る羽根部４１の右横側に位置する皮剥きローラ３９同士の間の上方からトウモロコシ房状体が左側に位置ずれすると、このトウモロコシ房状体が右寄せ用の羽根体４２の配列と回転駆動とによって右側の皮剥きローラ３９同士の間の上方に向けて押し寄せ操作される。
【００４２】
図４に示すように、隣り合う回転移送体３７のうち、後側の回転移送体３７に、横向き軸芯Ｐの方向に沿う方向に間隔を空けて並ぶ複数の侵入防止部材４５が設けられている。隣り合う回転移送体３７の後側の回転支軸４０と、後側の回転移送体３７の隣り合う二つの羽根体４２の間を通る前側の回転移送体３７の羽根体４２との間に移送中のトウモロコシ房状体の長手方向での一端側が導入されるのを侵入防止部材４５によって防止され、回転支軸４０と羽根体４２との間にトウモロコシ房状体の一端側が導入されることに起因する種子粒の脱粒を防止するよう構成されている。
【００４３】
すなわち、回転支軸４０と羽根体４２との間にトウモロコシ房状体の一端側が導入された場合、その一端側が後側の回転移送体３７の隣り合う二つの羽根体４２同士の間の空間Ｓ（図５参照）に入り込み、トウモロコシ房状体が一対の皮剥きローラ３９同士の間の上で立った姿勢（長手方向が上下方向となる姿勢）になる。すると、トウモロコシ房状体の下端側の端部が一対の皮剥きローラ３９によって挟まれ、その端部の種子粒が脱粒する。
【００４４】
複数の侵入防止部材４５の夫々は、具体的には、次の如く構成されている。
各侵入防止部材４５は、図９に示すように、取付孔４５ａを有した筒状体によって構成されている。取付孔４５ａの形状及び大きさは、回転支軸４０の外周部に嵌合されている筒状のスペーサ４８の外周部に嵌合する形状及び大きさに設定されている。スペーサ４８は、隣り合う二つの羽根体４２の間に介装され、二つの羽根体４２の間隔を設定するものである。侵入防止部材４５は、回転支軸４０のうち、隣り合う二つの羽根体４２同士の間に位置する部位にスペーサ４８を介して取り付けられている。
【００４５】
侵入防止部材４５の外径が回転支軸４０の外径よりも大きい。これにより、後側の回転移送体３７の隣り合う二つの羽根体４２の間に入り込む前側の羽根体４２と、後側の回転移送体３７の回転支軸４０との間の距離がトウモロコシ房状体を導入できない距離に侵入防止部材４５によって設定される。
【００４６】
侵入防止部材４５は、スペーサ４８の外周部に密着状態で嵌合していることで、スペーサ４８に相対回転不能に支持される。スペーサ４８と回転支軸４０とは、スペーサ４８の非円形形状の内周面と、回転支軸４０の非円形形状の外周面とによって相対回転不能に係合している。これらにより、侵入防止部材４５は、回転支軸４０に相対回転不能に支持されている。侵入防止部材４５は、横向き軸芯Ｐを回転中心として回転支軸４０によって回転駆動される。羽根体４２と回転支軸４０との間に導入されようとするトウモロコシ房状体に対して侵入防止部材４５の回転力によって導入抵抗が付与され、トウモロコシ房状体の導入を効果的に防止できる。
【００４７】
侵入防止部材４５には、外周面から径方向に沿う方向に外側向きに延出された掻き送り羽根４６を設けている。侵入防止部材４５に掻き送り面４７が備えられている。羽根体４２と回転支軸４０との間に導入されようとするトウモロコシ房状体が掻き送り面４７によって導入方向と反対方向に掻き送り操作され、トウモロコシ房状体の導入を効果的に防止できる。
【００４８】
複数の掻き送り羽根４６が侵入防止部材４５の回転方向に間隔を空けて並べられている。侵入防止部材４５に、これの回転方向に間隔を空けて並ぶ複数の掻き送り面４７が備えられている。本実施例では、６枚の掻き送り羽根４６を設けているが、６枚に限らず、何枚設けても良い。羽根体４２と回転支軸４０との間に導入されようとするトウモロコシ房状体が複数の掻き送り面４７によって操作漏れがないように掻き送り操作され、トウモロコシ房状体の導入をより効果的に防止できる。
【００４９】
振分け案内体５０について説明する。
振分け案内体５０には、図３，４に示すように、平面視で略三角形状の案内面が備えられている。振分け案内体５０は、前後方向視で、左右両側から中央側に向かうほど高い位置になる中膨らみ状（本実施形態では、三角形状）に形成されている。搬送装置１２から案内面３５の前端側に落下したトウモロコシ房状体が振分け案内体５０の案内面及び前記形状によって案内面３５の左右（皮剥き装置１の横幅方向）に広く拡散するように案内される。
【００５０】
案内体５１について説明する。
７個の案内体５１は、皮剥き処理部３６の横幅方向に並んでいる。7個の案内体５１の配列ピッチは、トウモロコシ房状体が２個の案内体５１に亘って乗り上がることがあっても、３個の案内体５１に亘って乗り上がらない配列ピッチに設定されている。７個の案内体５１の夫々は、隣り合う皮剥き処理部３６どうしの間の前方に位置している。振分け案内体５０による案内によって案内面３５の左右の横端側に位置したトウモロコシ房状体、及び、振分け案内体５０を乗り越えたりして振分け案内体５０の後側に回り込んで案内面３５の中央側に位置したトウモロコシ房状体を、各案内体５１による案内によって各案内体５１の後方に位置する皮剥き処理部３６の一対の皮剥きローラ３９の間に向けて移動させる。
【００５１】
７個の案内体５１の夫々は、具体的には、図３，４に示す如く構成されている。
各案内体５１は、平面視において、上面の形状が後広がり形状（トウモロコシ房状体の移動方向下手側ほど幅広になる形状）となるように構成されている。各案内体５１は、前後方向視において、上面の形状が上側ほど幅狭になる形状（上細り形状）となるように構成されている。各案内体５１の底部に取付板部が備えられている。各案内体５１は、取付板部が案内面３５に連結されることで、案内面３５に固定されている。
【００５２】
案内面上のトウモロコシ房状体は、案内体５１の上面の後広がり形状、且つ上面の上細り形状によって皮剥きローラ３９の間に向けて案内される。
【００５３】
案内面３５の上方に掻込み回転装置５２が設けられている。掻込み回転装置５２は、皮剥き処理部３６の横幅方向に延びる軸芯を備え、この軸芯を回転中心として回転方向Ｂ（図１参照）に回転駆動される。案内面３５に位置するトウモロコシ房状体が掻込み回転装置５２によって皮剥き装置１側へ掻き込み操作され、トウモロコシ房状体を皮剥き装置１へスムーズに導入できる。
【００５４】
〔別実施形態〕
（１）
図１０は、別の実施構造を備えた侵入防止部材４５を示す平面図である。図１１は、別の実施構造を備えた侵入防止部材４５を示す側面図である。図１０，１１に示すように、別の実施構造を備えた侵入防止部材４５は、羽根体４２に一体成形されている。具体的には、侵入防止部材４５は、羽根体４２のボス部４３の側部から隣り合う羽根体４２の方に向けて突設されている。
【００５５】
（２）上記した実施例では、侵入防止部材４５に掻き送り面４７を備えた例を示したが、掻き送り面４７を備えず、単なる筒状に構成されて、羽根体４２と回転支軸４０との隙間を埋めるものにしてもよい。
【００５６】
（３）上記した実施例では、侵入防止部材４５が回転支軸４０に相対回転不能に支持される例を示したが、回転支軸４０に相対回転可能に支持されるよう構成して実施してもよい。侵入防止部材４５が回転支軸４０に相対回転可能に支持される場合でも、回転支軸４０の外径よりも大きい侵入防止部材４５の外径により、回転支軸４０と、隣り合う羽根体４２同士の間を通る羽根体４２との間の距離をトウモロコシ房状体が導入されない距離にできる。
【００５７】
（４）上記した実施例では、案内体５１及び掻込み回転装置５２を設けた例を示したが、案内体５１及び掻込み回転装置５２を設けずに実施してもよい。
【００５８】
（５）上記した実施例では、トウモロコシ房状体を機体に対して前後方向に沿う方向に移送するよう構成した例を示したが、トウモロコシ房状体を機体に対して横方向に沿う方向に移送するよう構成して実施してもよい。
【産業上の利用可能性】
【００５９】
本考案は、８列の皮剥き処理部３６が備えられた皮剥き装置の他、７列以下又は９列以上の皮剥き処理部３６が備えられた皮剥き装置に利用可能である。
【符号の説明】
【００６０】
３５      案内面
３６      皮剥き処理部
３７      回転移送体
３９      皮剥きロータ
４０      回転支軸
４２      羽根体
４５      侵入防止部材
４７      掻き送り面
Ｐ        横向き軸芯
Ｗ１      羽根体の横幅
Ｗ２      羽根体の横幅
【図１】
2016174539.tif 000003
【図２】
2016174539.tif 000004
【図３】
2016174539.tif 000005
【図４】
2016174539.tif 000006
【図５】
2016174539.tif 000007
【図６】
2016174539.tif 000008
【図７】
2016174539.tif 000009
【図８】
2016174539.tif 000010
【図９】
2016174539.tif 000011
【図１０】
2016174539.tif 000012
【図１１】
2016174539.tif 000013